【事件の表示】
　特願２０１３−　９３３３８「パラメータ設定装置」拒絶査定不服審判事件〔平成２６年１１月１７日出願公開、特開２０１４−２１５８５０〕について、次のとおり審決する。
【結　論】
　本件審判の請求は、成り立たない。
【理　由】
第１　手続の経緯
　本願は、平成２５年４月２６日の出願であって、平成２８年６月２８日付けで拒絶理由通知がされ、同年８月２４日付けで意見書が提出されたが、同年１２月２６日付けで拒絶査定がされ、これに対し、平成２９年２月１６日に拒絶査定不服審判の請求がされたものである。
第２　本願発明
　本願の請求項１−４に係る発明は、出願時の特許請求の範囲の請求項１−４に記載された事項により特定されるものと認められるところ、本願の請求項１に係る発明（以下、「本願発明」という。）は以下のとおりである。
「【請求項１】
　ユーザにより操作され、その操作に応じてパラメータ値を設定する操作子と、
　ユーザにより前記操作子が操作されて、特定値だったパラメータ値が該特定値でなくなったことを検出した時に、所定の時間だけ、ユーザに触感的フィードバックを与えるフィードバック手段と、
　を備えることを特徴とするパラメータ設定装置。」
　
第３　引用文献
（１）引用文献・引用発明
　本願の出願日前に日本国内において頒布され、原査定の拒絶の理由に引用文献２として引用された特開２００６−１５５４４７号公報（以下、「引用文献」という。）には、次の技術事項が記載されている。（下線部は、当審により付加した。）
ア．「【技術分野】
【０００１】
　本発明は、操作入力装置に関し、特に、操作者の操作に応答して振動を発生する機能を備えた操作入力装置に関する。」（３頁３６−３９行）
イ．「【００２８】
　（第１の実施の形態）
　図２は、本発明の第１の実施の形態の振動機能付き操作入力装置２００の構成を機能ブロックの形態で示したものである。
【００２９】
　図２に示すように、
振動機能付き操作入力装置２００は、タッチパネル２２の押下された位置に応じて検出信号を出力する押圧位置検出部２５と、液晶パネル２１に対し操作画面を表示させたり、その操作画面上に表示される操作キーの位置を取得する表示制御部２６と、振動ユニット２３に供給する振動を発生する駆動信号発生部２７とを有している
【００３０】
　また、
システムコントローラ１０はタッチパネル２２の押下された位置と液晶パネル２１に表示される操作キーの位置を比較する位置比較判別部１０ａ
【００３１】
　また、
表示装置２０は、液晶パネル２１の前面にタッチパネル２２が配置され、液晶パネル２１の背面側には振動ユニット２３が配置されている
表示装置２０は押圧位置検出部２５、表示制御部２６及び駆動信号発生部２７を介してシステムコントローラ１０と接続される
【００３２】
　以上のように構成された振動機能付き操作入力装置２００において、システムコントローラ１０、位置比較判別部１０ａ及び動作状態変化検出部１０ｂは「制御手段」に、液晶パネル２１は「表示パネル」に、振動ユニット２３及び駆動信号発生部２７は「振動印加手段」に、押圧位置検出部２５は「押圧位置検出手段」にそれぞれ対応している。」（６頁４８行−７頁２１行）
ウ．「【００６７】
　（第２の実施の形態）
　以下、本発明の第２の実施の形態の振動機能付き操作入力装置２００ａについて説明する。
【００６８】
　なお、本実施の形態が第１の実施の形態と異なる点は、操作対象が漸次変化する有限の値であり、上限値、下限値又は中心値の基準点を有することである。そして、この基準点を通過した時にタッチパネルに振動を発生することである。
【００６９】
　図７は、本発明の第２の実施の形態の振動機能付き操作入力装置２００ａの構成を機能ブロックの形態で示したものである。なお、本実施の形態においても、本発明を車載用ナビゲーション・ＡＶシステム１００に適用した例を示している。また、
本実施の形態が第１の実施の形態と異なる点は、システムコントローラ１０Ａに、基準点通過検出部（制御手段）１０ｃが設けられている点であり、その他の構成及び動作（機能）については基本的に第１の実施の形態と同様である。
【００７０】
　以下、
このように構成された装置において、ＣＤプレーヤー１２の音量を調整する場合
【００７１】
　
図８は、ＣＤプレーヤーの音量調整キー８２を長押しして、音量を調整する場合の画面表示の一例を示す図である
基準の音量を０とし、
音量レベルが−（マイナス）のときに、音量調整キー８２を押して、音量を連続的に上げる様子を示している
【００７２】
　図９は、基準点通過とタッチパネル２２に発生する振動との関係を示すタイミングチャートである。図９において、ＢＵＳ通信は、ＣＤプレーヤーから共通バスライン１６に出力される信号であり、システムコントローラ１０は共通バスライン１６を介して設定値（ここでは音量のレベル）の状態を取得する。
【００７３】
　図９のタイミングチャートは、図８の
操作画面の音量調整キー８２を選択して
【００７４】
　音量調整キー８２のキー入力がＯＮになったとき、振動パターンｖ１の振動が一定期間ｔ４発生する
。キー入力がＯＮになってから、所定の時間音量調整キーを押し続けていると長押しが確定し、ＣＤプレーヤー１２は音量を連続的に上げながら設定する動作を開始する
【００７５】
　音量の連続設定が開始された後、音量のレベルが基準点を通過したときには、音量が基準点を通過したことを知らせるために振動パターンｖ３の振動が一定期間ｔ６発生する。
【００７６】
　以下、上記のようにタッチパネルから振動を発生させる処理について、図１０に例示するフローチャートを参照しながら説明する。
【００７７】
　なお、ステップＳ２１からステップＳ２５は、第１の実施の形態（図５）に係るステップＳ１１からステップＳ１５までと同様であるので、その説明は省略する。
【００７８】
　ここでは、ステップＳ２５で長押しが確定した後のステップＳ２６から説明する。
【００７９】
　ステップＳ２６では、
音量調整キーの長押し状態において、基準点（本実施の形態では「０」）を通過したか否かを判定する
【００８０】
　
基準点を通過したか否かは次のようにして判定する。システムコントローラ１０Ａは
設定された音量レベルの情報を
取得し、基準点通過検出部１０ｃがその情報を基にして基準点を通過したか否かを判定する
【００８１】
　
基準点を通過した場合は
【００８２】
　次のステップＳ２７では、マイナスの値から基準点を通過してプラスの値へ移ったのか、その逆にプラスの値から基準点を通過してマイナスの値に移ったのかを判定する。
【００８３】
　
どちらの方向で基準点を通過したかは
基準点通過検出部１０ｃが基準点を通過した前後の音量レベルを比較することにより判定する
【００８４】
　
判定の結果マイナスの音量からプラスの音量に変化するときに基準点を通過した場合は
【００８５】
　ステップＳ２８では、
マイナスの音量からプラスの音量に変化するときに基準点を通過したことの確認のための振動を発生する
【００８６】
　
音量調整キー８２の長押し状態でマイナスの音量からプラスの音量に移るときに基準点を通過した場合、システムコントローラ１０Ａは駆動信号発生部２７に振動パターンｖ３を発生させるように指示する
【００８７】
　ステップＳ２９では、プラスの音量からマイナスの音量に移るときに基準点を通過したことの確認のための振動を発生する。この場合は、ステップＳ２８で発生させる振動パターンｖ３とは異なるパターンの振動を発生させる。
【００８８】
　次のステップＳ３０では、長押し状態が終了したか否かを判定する。長押し状態が終了していなければステップＳ２６に戻り、さらに基準点を通過したか否かを判定する。一方、キーから指が離れ長押し状態が終了していれば本処理は終了する。
【００８９】
　以上説明したように、本実施の形態の振動機能付き操作入力装置２００ａでは、音量調整キー８２の長押し確定後継続してキーを押しているときに、基準点を通過したときにタッチパネル２２が振動するようにしている。これにより、操作者は、音量レベルの表示画面を見ることなく音量レベルがどの程度かを知ることが可能となる。
【００９０】
　なお、本実施の形態では、音量の設定を例にとって説明したが、操作対象はこれに限るものではなく、漸次連続的に変化する値であれば適用可能である。例えば、画面の明るさやコントラスト等を設定する場合にも適用可能である。」（１０頁４７行−１２頁４２行）
　上記引用文献の記載及び図面並びにこの分野の技術常識を考慮すると、次のことがいえる。
ａ．上記ウ．の段落【００６９】の記載によれば、第２の実施の形態は、第１の実施の形態において、システムコントローラに基準点通過検出部（制御手段）１０ｃが設けられている点で異なり、その他の構成については第１の実施の形態と同様のものである。
ｂ．してみれば、図７には、上記（イ）の段落【００２９】−【００３１】、図２、及び上記（ウ）の段落【００６９】の記載により、液晶パネル２１の前面にタッチパネル２２が配置され、液晶パネル２１の背面側には振動ユニット２３が配置される表示装置２０と、前記タッチパネル２２の押下された位置に応じて検出信号を出力する押圧位置検出部２５と、前記液晶パネル２１に対し操作画面を表示させたり、その操作画面上に表示される操作キーの位置を取得する表示制御部２６と、前記振動ユニット２３に供給する振動を発生する駆動信号発生部２７と、 前記タッチパネル２２の押下された位置と液晶パネル２１に表示される操作キーの位置を比較する位置比較判別部１０ａ、及び、基準点通過検出部１０ｃで構成されるシステムコントローラ１０Ａと、を有し、前記該表示装置２０は前記押圧位置検出部２５、前記表示制御部２６及び前記駆動信号発生部２７を介して前記システムコントローラ１０Ａと接続される、振動機能付き操作入力装置２００ａ、が記載されているといえる。
ｃ．上記ウ．の段落【００７０】−【００８８】、図８−図１０には、上記操作入力装置２００ａで、ＣＤプレーヤー１２の音量を調整する例として、基準の音量を０とし、音量レベルが−（マイナス）のときに、音量調整キー８２を長押して、音量を連続的に上げる、ことが記載されている。
　してみると、引用文献には、上記操作入力装置２００ａで、ＣＤプレーヤー１２の音量を、基準点を０とし、音量レベルが−（マイナス）のときに、音量調整キー８２を長押して調整する、ことが記載されているといえる。
ｄ．上記ウ．の段落【００７３】、【００７４】には、音量調整キー８２を選択して、キー入力がＯＮになってから、所定の時間、音量調整キー８２を押し続けていると長押しが確定し、音量を連続的に上げながら設定する動作を開始する、ことが記載されている。
ｅ．上記ウ．の段落【００８０】には、システムコントローラ１０Ａは設定された音量レベルの情報を取得し、基準点通過検出部１０ｃがその情報を基にして基準点（「０」）を通過したか否かを判定する、ことが記載されている。
ｆ．上記ウ．の段落【００８１】、【００８３】の記載によれば、通過した場合は、基準点通過検出部１０ｃが基準点を通過した前後の音量レベルを比較することにより、どちらの方向で基準点を通過したかを判定する。
ｇ．上記ウ．の段落【００８４】、【００８５】、【００８６】の記載によれば、判定の結果マイナスの音量からプラスの音量に変化するときに基準点を通過した場合は、システムコントローラ１０Ａは駆動信号発生部２７に、マイナスの音量からプラスの音量に変化するときに基準点を通過したことの確認のための振動パターンｖ３を発生させている。また、図９の記載によれば、該振動パターンｖ３は一定時間だけ発生しているものと認められる。
　したがって、上記引用文献には次の発明（以下、「引用発明」という。）が記載されていると認められる。
「液晶パネル２１の前面にタッチパネル２２が配置され、液晶パネル２１の背面側には振動ユニット２３が配置される表示装置２０と、
　前記タッチパネル２２の押下された位置に応じて検出信号を出力する押圧位置検出部２５と、
　前記液晶パネル２１に対し操作画面を表示させたり、その操作画面上に表示される操作キーの位置を取得する表示制御部２６と、
　前記振動ユニット２３に供給する振動を発生する駆動信号発生部２７と、
　前記タッチパネル２２の押下された位置と液晶パネル２１に表示される操作キーの位置を比較する位置比較判別部１０ａ、及び、基準点通過検出部１０ｃで構成されるシステムコントローラ１０Ａと、を有し、
　前記該表示装置２０は前記押圧位置検出部２５、前記表示制御部２６及び前記駆動信号発生部２７を介して前記システムコントローラ１０Ａと接続される、振動機能付き操作入力装置２００ａにおいて、
　該操作入力装置２００ａで、ＣＤプレーヤー１２の音量を、基準点を０とし、音量レベルが−（マイナス）のときに、音量調整キー８２を長押して調整する際に、
　操作画面の音量調整キー８２を選択して、キー入力がＯＮになってから、所定の時間、音量調整キー８２を押し続けていると長押しが確定し、音量を連続的に上げながら設定する動作を開始し、
　前記システムコントローラ１０Ａは設定された音量レベルの情報を取得し、前記基準点通過検出部１０ｃがその情報を基にして基準点（「０」）を通過したか否かを判定し、
　通過した場合は、前記基準点通過検出部１０ｃが基準点を通過した前後の音量レベルを比較することにより、どちらの方向で基準点を通過したかを判定し、
　その結果マイナスの音量からプラスの音量に変化するときに基準点を通過した場合は、システムコントローラ１０Ａは駆動信号発生部２７に、マイナスの音量からプラスの音量に変化するときに基準点を通過したことの確認のための振動パターンｖ３を一定時間発生させる、
　操作入力装置２００ａ。」
　
第４　対比・判断
　本願発明と引用発明とを対比する。
ア．引用発明の「音量調整キー８２」は、「押し続けていると長押しが確定し、音量を連続的に上げながら設定する」ものであるから、引用発明の「音量」が、本願発明の「パラメータ値」に相当し、さらに、引用発明の「音量調整キー８２」が、本願発明１の「ユーザにより操作され、その操作に応じてパラメータ値を設定する操作子」に相当する。
　さらに、引用発明の「操作入力装置２００ａ」で、「音量」を調節するのであるから、引用発明の「操作入力装置２００ａ」は、本願発明の「パラメータ設定装置」に相当する。
イ．本願の明細書の段落【００２６】には「・・・。この処理では、ノブ２１に振動が与えられる特定値ＤＶに、ある程度の幅（α）を持たせている。そして、この幅（α）は、ユーザが１値と認識する程度の、あまり広くない、適切な幅（ノブ２１の回転角度で数度〜二十度程度）に調整される。ノブ２１の直径に応じて、直径が大きければ幅（α）を小さくするのがよく、直径が小さければ、幅（α）を大きくするのがよい。このように、特定値ＤＶは、必ずしも単一の値である必要はなく、幅（α）を持つ範囲内の連続値であってもよい。・・・」と記載されおり、本願発明における「特定値」には、「幅（α）を持つ範囲内の連続値」も含まれるものと認められる。
　してみると、本願発明の「特定値だったパラ−メータ値が該特定値ではなくなったこと」は、「ある範囲内にあったパラ−メータ値がその範囲内ではなくなったこと」も含むものである。
　一方、引用発明は「音量レベルが−（マイナス）のとき」から「基準点（０）」を「通過した」ことを「基準点通過検出部１０ｃ」が検出し、「駆動信号発生部２７」が「確認のための振動パターンｖ３を一定時間を発生する」ものであるから、
「音量レベルが−（マイナス）」から「基準点（０）」までの範囲でなくなったことを検出した時に
　してみると、引用発明の
「音量レベルが−（マイナス）」から「基準点（０）」までの範囲
　してみると、本願発明の構成は、すべて引用発明が備えているものであって、本願発明は引用発明と同一ということになる。 
 　したがって、本願発明は、引用文献に記載された発明である。 
第５　むすび
　 以上のとおり、本願発明は、引用文献に記載された発明であるから、特許法第２９条第１項第３号に該当し、特許を受けることができない。　
　したがって、本願は、その余の請求項について論及するまでもなく拒絶すべきものである。
　よって、結論のとおり審決する。